(57)【特許請求の範囲】
【請求項１】
手洗い用水受け部を含む手洗い部と、前記手洗い用水受け部に連続又は隣接して設けられた手乾燥用水受け部及び該手乾燥用水受け部の上部に設けられ、乾燥用空気を噴出するノズルを含む手乾燥部とを備え、
前記手洗い部と手乾燥部とを一体に形成するとともに、前記手洗い用水受け部と手乾燥用水受け部を全体として凹状に形成し、その底部を手乾燥用水受け部側の下方に向けて傾斜させ、前記水受け部の下端部に排水口を設けたことを特徴とする手洗い乾燥装置。
【請求項２】
前記手乾燥用水受け部の奥行きを、前記手洗い用水受け部の奥行きより狭く形成したことを特徴とする請求項１記載の手洗い乾燥装置。
【請求項３】
前記手乾燥用水受け部を、その奥行き方向の中心位置が手洗い用水受け部の奥行き方向の中心位置より前方に位置するように配置したことを特徴とする請求項１記載の手洗い乾燥装置。
【請求項４】
前記手乾燥用水受け部を凹状に形成し、前後両壁面を前方に向けて傾斜させたことを特徴とする請求項１記載の手洗い乾燥装置。
【請求項５】
前記手洗い用水受け部は溢水防止用排水口を有し、前記乾燥用空気を噴出するノズルを、前記溢水防止用排出口より上方に配置したことを特徴とする請求項１記載の手洗い乾燥装置。
【請求項６】
乾燥用空気を発生させる乾燥用空気発生部を備え、該乾燥用空気発生部から乾燥用空気を前記ノズルへ送る経路に、柔軟性のある配管を用いたことを特徴とする請求項１記載の手洗い乾燥装置。
【請求項７】
手洗い用水受け部を含む手洗い部と、前記手洗い用水受け部に連続又は隣接して設けられた手乾燥用水受け部及び該手乾燥用水受け部の上部に設けられ、乾燥用空気を噴出するノズルを含む手乾燥部とを備え、
前記手洗い部と前記手乾燥部とを一体に形成し、前記手乾燥用水受け部を凹状に形成してその下端部に排水口を設けるとともに、前記手乾燥用水受け部内に洗浄用水を供給するための給水口を設けたことを特徴とする手洗い乾燥装置。
【請求項８】
前記手乾燥用水受け部を前記手洗い用水受け部の前方に配置したことを特徴とする請求項７記載の手洗い乾燥装置。
【請求項９】
手洗い用水受け部を含む手洗い部と、前記手洗い用水受け部に連続又は隣接して設けられた手乾燥用水受け部及び該手乾燥用水受け部の上部に設けられ、乾燥用空気を噴出するノズルを含む手乾燥部とを備え、
前記手洗い部と前記手乾燥部とを一体に形成するとともに、前記手洗い用水受け部と前記手乾燥用水受け部の開口部の外周に対応した開孔を有する天板を、前記手洗い用水受け部と前記手乾燥用水受け部と一体に設けたことを特徴とする手洗い乾燥装置。
【請求項１０】
手洗い用水受け部を含む手洗い部と、前記手洗い用水受け部に連続して設けられた手乾燥用水受け部及び該手乾燥用水受け部の上部に設けられ、乾燥用空気を噴出するノズルを含む手乾燥部と、手洗い用水受け部と手乾燥用水受け部の開口部の外周に対応した開孔を有する天板とを備え、
手洗い用水受け部と手乾燥用水受け部を全体として凹状に形成し、その底部を手乾燥用水受け部側の下方に向けて傾斜させ、その下端部に排水口を設けたことを特徴とする手洗い乾燥装置。
【請求項１１】
前記手乾燥用水受け部の奥行きを、手洗い用水受け部の奥行きより狭く形成し、その奥行き方向の中心位置が手洗い用水受け部の奥行き方向の中心位置より前方に位置するように配置し、そして、前後両壁面を前方に向けて傾斜させ、乾燥用空気発生部から乾燥用空気を前記ノズルへ送る径路に、柔軟性のある配管を用いたことを特徴とする請求項１０記載の手洗い乾燥装置。
【請求項１２】
前記天板を前記手洗い用水受け部及び手乾燥用水受け部と一体に形成したことを特徴とする請求項１０記載の手洗い乾燥装置。
【請求項１３】
前記ノズルは、挿入される手の両面に前記乾燥用空気を噴射することを特徴とする請求項１乃至請求項１２のいずれかに記載の手洗い乾燥装置。
【発明の詳細な説明】
【０００１】
【発明の属する技術分野】
この発明は、洗浄後の濡れた手を衛生的かつ短時間に乾燥させるための手洗い乾燥装置に関するものである。
【０００２】
【従来の技術】
手を衛生的な状態に保全するには、手の洗浄とともに洗浄後の乾燥処理も衛生的に行われる必要があり、そのために例えば特開平５−２９３０５５号公報に開示されているような洗浄等により濡れた手を乾燥させる手乾燥装置が用いられている。
【０００３】
上記公報に示されている従来の手乾燥装置は、高圧空気発生手段で発生させた高圧空気をノズルから手の両側に高速の空気流として噴出するもので、ノズルから噴出された高速空気流に手をかざすことで手に付着した水滴を短時間に拭い去り、手を乾燥させるようになっている。このとき、手に付着していた水滴が周囲に飛散し床等を濡らすため、この防止策として、水滴を受ける水受けと、ここで集めた水を溜めるドレンタンクとを具備する構成となっている。
【０００４】
【発明が解決しようとする課題】
しかしながら、上記従来の手乾燥装置は、一般的に手洗浄装置とは離れた位置に設けられているため、手を洗浄した後、手乾燥装置まで手を移動する間に水滴が落下し、洗面器天板や床を濡らしてしまうという問題があった。
【０００５】
また、上記手乾燥装置は、手から拭い去った水滴を水受けからドレンタンクに溜めるようになっているが、ドレンタンクに水が溜まる度、これを捨てる作業が必要でこの作業が煩わしいという問題があった。
【０００６】
また、上記手乾燥装置は、手洗浄装置とは別々に構成して配置するようになっていたため、狭い洗面所空間では設置しにくいという課題があった。
【０００７】
この発明は上記課題を解決するためになされたもので、第１の目的は、手洗浄と手乾燥の両装置を一体化し、手洗浄後、手乾燥動作へ移る際に洗面台天板や床面への水濡れを防止することが可能な手洗い乾燥装置を提供するものである。
【０００８】
また、第２の目的は、溜まり水処理の煩わしさを解消でき、使い勝手の良い手洗い乾燥装置を提供するものである。
【０００９】
さらに、第３の目的は、手洗浄と手乾燥の両装置を一体化することで、省スペース化が図れる手洗い乾燥装置を提供するものである。
【００１０】
【課題を解決するための手段】
請求項１記載の発明に係る手洗い乾燥装置は、手洗い用水受け部を含む手洗い部と、手洗い用水受け部に連続又は隣接して設けられた手乾燥用水受け部及び手乾燥用水受け部の上部に設けられ、乾燥用空気を噴出するノズルを含む手乾燥部とを備え、手洗い部と手乾燥部とを一体に形成するとともに、手洗い用水受け部と手乾燥用水受け部を全体として凹状に形成し、その底部を手乾燥用水受け部側の下方に向けて傾斜させ、水受け部の下端部に排水口を設けたものである。
【００１１】
請求項２記載の発明に係る手洗い乾燥装置は、手乾燥用水受け部の奥行きを、手洗い用水受け部の奥行きより狭く形成したものである。
【００１２】
請求項３記載の発明に係る手洗い乾燥装置は、手乾燥用水受け部を、その奥行き方向の中心位置が手洗い用水受け部の奥行き方向の中心位置より前方に位置するように配置したものである。
【００１３】
請求項４記載の発明に係る手洗い乾燥装置は、手乾燥用水受け部を凹状に形成し、前後両壁面を前方に向けて傾斜させたものである。
【００１４】
請求項５記載の発明に係る手洗い乾燥装置は、手洗い用水受け部が溢水防止用排水口を有し、乾燥用空気を噴出するノズルを、溢水防止用排出口より上方に配置したものである。
【００１５】
請求項６記載の発明に係る手洗い乾燥装置は、乾燥用空気を発生させる乾燥用空気発生部を備え、乾燥用空気発生部から乾燥用空気をノズルへ送る経路に、柔軟性のある配管を用いたものである。
【００１６】
請求項７記載の発明に係る手洗い乾燥装置は、手洗い用水受け部を含む手洗い部と、手洗い用水受け部に連続又は隣接して設けられた手乾燥用水受け部及び手乾燥用水受け部の上部に設けられ、乾燥用空気を噴出するノズルを含む手乾燥部とを備え、手洗い部と手乾燥部とを一体に形成し、手乾燥用水受け部を凹状に形成してその下端部に排水口を設けるとともに、手乾燥用水受け部内に洗浄用水を供給するための給水口を設けたものである。
【００１７】
請求項８記載の発明に係る手洗い乾燥装置は、手乾燥用水受け部を手洗い用水受け部の前方に配置したものである。
【００１８】
請求項９記載の発明に係る手洗い乾燥装置は、手洗い用水受け部を含む手洗い部と、手洗い用水受け部に連続又は隣接して設けられた手乾燥用水受け部及び手乾燥用水受け部の上部に設けられ、乾燥用空気を噴出するノズルを含む手乾燥部とを備え、手洗い部と手乾燥部とを一体に形成するとともに、手洗い用水受け部と手乾燥用水受け部の開口部の外周に対応した開孔を有する天板を、手洗い用水受け部と手乾燥用水受け部と一体に設けたものである。
【００１９】
請求項１０記載の発明に係る手洗い乾燥装置は、手洗い用水受け部を含む手洗い部と、手洗い用水受け部に連続して設けられた手乾燥用水受け部及び手乾燥用水受け部の上部に設けられ、乾燥用空気を噴出するノズルを含む手乾燥部と、手洗い用水受け部と手乾燥用水受け部の開口部の外周に対応した開孔を有する天板とを備え、手洗い用水受け部と手乾燥用水受け部を全体として凹状に形成し、その底部を手乾燥用水受け部側の下方に向けて傾斜させ、その下端部に排水口を設けたものである。
【００２０】
請求項１１記載の発明に係る手洗い乾燥装置は、手乾燥用水受け部の奥行きを、手洗い用水受け部の奥行きより狭く形成し、その奥行き方向の中心位置が手洗い用水受け部の奥行き方向の中心位置より前方に位置するように配置し、そして、前後両壁面を前方に向けて傾斜させ、乾燥用空気発生部から乾燥用空気をノズルへ送る径路に、柔軟性のある配管を用いたものである。
【００２１】
請求項１２記載の発明に係る手洗い乾燥装置は、天板を手洗い用水受け部と手乾燥用水受け部と一体に形成したものである。
【００２２】
請求項１３記載の発明に係る手洗い乾燥装置は、ノズルは、挿入される手の両面に乾燥用空気を噴射するものである。
【００２７】
【発明の実施の形態】
実施の形態１．
図１はこの発明の実施の形態１の手洗い乾燥装置の平面図、図２は図１のＡ−Ａ断面図、図３は図１のＢ−Ｂ断面図である。
手洗い乾燥装置１は、手洗浄用蛇口２が設けられた天板３と溢水防止用排水口４が設けられた手洗い用水受け部５を含む手洗い部６と、複数の構成部品でなる手乾燥部７と、天板３を除くこれらを収納する洗面台ケース８とで構成され、手洗い部６と手乾燥部７とが一体に形成された装置である。なお、天板３は手洗い部６及び手乾燥部７に共通で、手洗い用水受け部５及び後述の手乾燥用水受け部１１の外周に対応した開孔を有し、洗面台ケース８の上部に設けられいる。
【００２８】
以下、洗面台ケース８内の手乾燥部７の構成について詳述する。なお、以下の説明において、前方とは使用者側を指すものとする。
【００２９】
洗面台ケース８内の上部で手洗い用水受け部５の右側部には、手乾燥用水受け部１１が手洗い用水受け部５と一体でかつ連続して形成されており、手洗い用水受け部５を含めて全体として凹状をなし、手洗い用水受け部５により手洗い室５ａが、手乾燥用水受け部１１により手乾燥室１１ａが構成されている。そして、手乾燥用水受け部１１の奥行き方向の中心位置が手洗い用水受け部５の奥行き方向の中心位置より手前に位置するように配置されている。
【００３０】
手乾燥用水受け部１１の前後両壁面は、図３に示すように前方に向けて傾斜するよう構成され、手を挿入しやすくなっている。また、手乾燥用水受け部１１の奥行き、すなわち前後壁面間の距離は、手を挿入するという使用目的上問題のない範囲で手洗い用水受け部５のそれより狭く構成されている。
【００３１】
前後両壁面の上部には、ノズル１２ａ，１２ｂが対向するように複数設けられ、後壁面には、手検出用センサ１３がノズル１２ａ，１２ｂの下方に位置するように配置されている。このノズル１２ａ，１２ｂは、下方に向けて、すなわち手乾燥室１１ａに挿入された手の指先方向に向けて傾斜するよう形成され、後述の高圧空気発生部２１で発生した高圧空気を手乾燥用水受け部１１の底部に向けて吹き出すようになっている。
【００３２】
高圧空気発生部２１は、高圧空気を発生させる高圧空気発生ブロア２２、高圧空気発生ブロア２２で発生した高圧空気を加熱するヒータ２３、高圧空気発生ブロア２２とヒータ２３とを制御する制御回路２４、及びこれらを収納する動力部ケース２５で構成されており、洗面台ケース８の底部に配置される。
【００３３】
ノズル１２ａ，１２ｂには送風用ダクト２６ａ，２６ｂの一端がそれぞれ接続され、両ダクト共通の他端が送風管２７の上端に接続されている。送風管２７の下端は高圧空気発生部２１に接続され、高圧空気発生部２１で発生した空気が送風管２７及び送風用ダクト２６ａ、２６ｂを介して送風され、ノズル１２ａ，１２ｂから手乾燥用水受け部１１へと吹き出されるようになっている。この送風管２７は柔軟性を有するもので構成されており、ノズル１２ａ，１２ｂと高圧空気発生部２１のそれぞれは、互いの配置位置によってその設置位置が拘束されることなくそれぞれ自由に配置可能となっている。
【００３４】
手洗い用水受け部５及び手乾燥用水受け部１１の底部は、手乾燥用水受け部１１側の下方に向けて傾斜するよう形成され、その下端部、すなわち手乾燥用水受け部１１側の下端部に排水口１６が設けられている。従って、手から拭い去られて手乾燥用水受け部１１に貼り付いた水滴だけでなく、手洗浄時の手洗浄用蛇口２から流された大量の水も、手洗い用水受け部５から手乾燥用水受け部１１へと流され、排水口１６から排出される。
【００３５】
以下この実施の形態１の動作について説明する。
手洗い室５ａで手を洗浄後、右方向に手を移動させ手乾燥室１１ａに挿入する。すると、手検出用センサ１３がこれを検知し、その検知信号を高圧空気発生部２１の制御回路２４に送出して高圧空気発生ブロア２２とヒータ２３を通電させる。その結果、高圧空気が発生し、送風管２７及び送風用ダクト２６ａ，２６ｂを介して送風され、ノズル１２ａ，１２ｂから手乾燥用水受け部１１の底部に向けて噴出される。この噴出された空気は、高速の気流となって挿入された手の両面に吹き付けられ、手に付着している水分を手乾燥用水受け部１１に吹き飛ばす。手乾燥用水受け部１１に飛ばされた水分は、手乾燥用水受け部１１の傾斜と手乾燥時の風圧が作用して排水口１６に集められ、図示しない排水管を通して下水等に排水される。
【００３６】
この実施の形態１によれば、手洗い室５ａから手乾燥室１１ａへ天板３を介すことなく手を移動できるので、手に付着した水滴により天板３や床面を濡らすことがなく、衛生的な手洗い乾燥装置１を得ることができる。
【００３７】
また、この手洗い乾燥装置１は、手洗い部６と手乾燥部７とを一体に形成したので、従来のように別体で設ける場合に比べ省スペース化が図れ、また、設置性も向上することができる。
【００３８】
さらに、手洗い動作から手乾燥動作へとスムーズに移ることができるので、使用者の体の負担を軽減することができる。なお、この実施の形態１では、手洗い用水受け部５と手乾燥用水受け部１１とを一体で且つ連続して構成することで手洗い部６と手乾燥部７と一体に形成した場合を例示して説明したが、一体で且つ連続でなくとも、手洗い用水受け部５と手乾燥用水受け部１１を隣接して設けていれば、同じくこの効果を奏することができる。
【００３９】
また、手乾燥用水受け部１１は、手洗い用水受け部５の右側部に連続して設けられているので、手洗いと手乾燥を同一の使用姿勢で行うことができる。
【００４０】
また、手乾燥用水受け部１１の奥行き方向の中心位置が手洗い用水受け部５の奥行き方向の中心位置より手前に位置するように配置したので、乾燥室１１ａの奥へと手を挿入した際に体を屈めなくてもよいので、自然な体勢で手乾燥を行うことができ、より使用姿勢が楽になる。
【００４１】
さらに、手乾燥用水受け部１１を前方に向けて傾斜させたので、手を挿入しやすく、また、手を観察しやすくなるため、乾燥状況を一目で把握でき乾燥動作を終了させるか否かの判断を行いやすい。
【００４２】
ノズル１２ａ，１２ｂを溢水防止用排水口４より上方に位置するように配置したので、手洗い用水受け部５及び手乾燥用水受け部１１に水を溜めた場合、水がノズル１２ａ，１２ｂに達する前に溢水防止用排水口４から排水されるので、ノズル１２ａ，１２ｂから水が入るのを防止することができる。
【００４３】
また、手乾燥用水受け部１１の奥行きを手洗い用水受け部５のそれより狭く構成したので、風を効率良く手の両面に吹き付けることができ、従って、乾燥時間を短時間に済ませることができ、使い勝手の良い手洗い乾燥装置１を得ることができる。
【００４４】
また、手洗い用水受け部５と手乾燥用水受け部１１は全体として凹状に形成され、その底部が手乾燥用水受け部１１側の下方に向けて傾斜しているので、手洗い時の大量の水が必ず手乾燥用水受け部１１を流れ、乾燥時に発生する手乾燥用水受け部１１の汚れを洗い流すので、衛生面での向上が図れるとともに、清掃の頻度を少なくすることが可能となる。
【００４５】
また、手乾燥用水受け部１１に排水口１６を設け、図示しない排水管を介して下水等に排水するようにしたので、従来のように手から拭い去った水を一旦タンク等に溜めこれを定期的に処理するといった煩わしさを解消することができ、使い勝手が良い。
【００４６】
また、手洗い部６及び手乾燥部７共に天板３より低い位置にまとめられているので、天板３上に不必要な凹凸が無く、デザイン上スマートにまとめることができ、また、天板３上を広く使うことができる。
【００４７】
なお、この実施の形態２では、手乾燥用水受け部１１を手洗い部６に対して右側に配置した例を示したが、もちろん左側にあっても良く、この場合も同等の効果が得られる。
【００４８】
実施の形態２．
図４は実施の形態２の手洗い乾燥装置の側面断面図である。
この実施の形態２は、上記実施の形態１の手洗い用水受け部５と手乾燥用水受け部１１との間に仕切り壁３１を設け、洗面時等、手洗い用水受け部５だけに水を溜めることを可能としたものである。また、実施の形態１において手洗い用水受け部３と手乾燥用水受け部１１に共通であった排水口１６を手乾燥用水受け部１１に専用のものとし、手洗い用水受け部５に新たに排水口３２を設け、さらに手乾燥用水受け部１１の右側壁に、手乾燥時に手乾燥用水受け部１１に付着した水滴や汚れを洗い流すための給水口３３を設け、図示しないタンクから電磁弁３４を介して給水された水を給水口３３から手乾燥用水受け部１１内へ流すようにしたものである。
【００４９】
なお、この電磁弁３４の開閉制御は制御回路２４で行っており、手検出用センサ１３からの検出信号に基づき手乾燥室１１ａ内に手が挿入された回数を計数し、その計数値が指定値になったとき開くようになっている。この指定値、すなわち手乾燥用水受け部１１に洗浄用の水を流す周期は、手洗い乾燥装置１の使用頻度に応じて例えば毎回あるいは数回毎等、動力部ケース２５外部に設けられたボリューム（図示せず）あるいは切り替えスイッチ（図示せず）により可変できるようになっている。なお、電磁弁３４の制御は、この方法に限られたものではなく、例えば手検出用センサ１３とは検知領域を別にした洗浄指示用の手検出センサを新たに設け、そのセンサの検知領域内に手が挿入された場合、電磁弁３４を開くようにしてもよい。
【００５０】
このように構成したことにより、洗面時等、手洗い用水受け部５だけに水を溜めることができるとともに、実施の形態１とほぼ同じ作用及び効果が得られる。但し、この実施の形態２は、手洗い用水受け部５と手乾燥用水受け部１１との間に仕切り壁３１を設けたので、実施の形態１のように、手洗浄用蛇口２から供給される水で手乾燥用水受け部１１を洗浄することはできないが、手乾燥用水受け部１１の側面に給水口３３を設けたので、これにより手乾燥用水受け部１１の洗浄が可能となっている。
【００５１】
なお、この実施の形態２では、給水口３３を手乾燥用水受け部１１の側面に取り付けた例を示したが、この位置に限られたものではなく、例えば手洗浄用蛇口２と同様に天板３に設けるようにしてもよい。
【００５２】
実施の形態３．
図５は実施の形態３の手洗い乾燥装置の側面断面図である。
上記の各実施の形態の手洗い乾燥装置１は、手洗い用水受け部５及び手乾燥用水受け部１１の上部に天板３を配置して組み立てるものであるが、この実施の形態３の手洗い乾燥装置１は、手洗い用水受け部５及び手乾燥用水受け部１１と天板３を一体に形成したものである。図５の４１がその一体に形成された、天板３一体型水受け部を示している。
【００５３】
このように構成したことにより、実施の形態１とほぼ同じ作用及び効果が得られるとともに、天板３とのつなぎの部分がなくなるため、この部分に汚れが発生するのを防止でき、さらに、組立時の工数を軽減できるのでコスト低減を図ることができる。
【００５４】
実施の形態４．
図６は実施の形態４の手洗い乾燥装置の平面図、図７は図６のＣ−Ｃ断面図、図８は図７のＤ−Ｄ断面図である。この実施の形態４は、実施の形態３の手乾燥用水受け部１１及びこれに接続される送風用ダクト２６ａ，２６ｂを手洗い用水受け部５の前方に設けたものである。
【００５５】
このように構成したことにより、実施の形態２とほぼ同じ作用及び効果が得られるとともに、横幅方向の設置スペースが不足するような場合にも設置可能となる。
【００５６】
実施の形態５．
図９は実施の形態５の手洗い乾燥装置の平面図、図１０は図９のＦ−Ｆ断面図である。図９のＥ−Ｅ断面図は図７と同じであるであるので、それを参照されたい。
この実施の形態５は、実施の形態４の手洗い用水受け部５の開口部と手乾燥用水受け部１１の開口部との間に天板３が形成されているものである。
【００５７】
このように構成したことにより、実施の形態４とほぼ同じ作用及び効果が得られるとともに、デザイン性の向上を図ることができる。
【００５８】
なお、この実施の形態５では、手洗い用水受け部５と手乾燥用水受け部１１とが一体に形成されてるが、天板３下部で別体に構成しても良い。この場合、それぞれの開口部周縁は天板３で覆われるので、手洗い用水受け部５から手乾燥用水受け部１１へ移動する際の天板３への水滴落下は免れないが、既に一般的に出回っている手洗い用水受け部５に、手乾燥用水受け部１１を設けることで手洗い乾燥用装置１を構成できるので、コスト的なメリットを得ることができる。
【００５９】
実施の形態６．
図１１は実施の形態６の手洗い乾燥装置の平面図、図１２は図１１の正面図、図１３は図１１のＧ−Ｇ断面図である。
【００６０】
この実施の形態６は、天板３の表面後方に鏡５１及び照明５２を備えた化粧台５３を設け、該化粧台５３の前面上部右側に風向変更板５４を有する上部温風吹出口５５を形成し、また、洗面台ケース８の前面下部に同じく風向変更板５６を有する下部温風吹出口５７を形成し、それぞれ送風管５８、送風管５９を介して高圧空気発生部２１と接続し、高圧空気発生部２１で発生した温風を上部温風吹出口５５，下部温風吹出口５７から吹き出すようにしたものである。すなわち高圧空気発生部２１を活用した温風吹出し機能を備えたしたものである。なお、下部温風吹出口５７は、洗面所や脱衣所に本装置１が設置された場合における寒い時期の足元暖房を主目的とし、上部温風吹出口５５は頭髪の乾燥を主目的として設けたものである。
【００６１】
このように構成された手洗い乾燥装置１で上部温風吹出口５５又は下部温風吹出口５７における温風吹出し機能を使用する場合、それぞれ対応して設けられた図示しないスイッチを押下する。すると、高圧空気発生部２１とヒータ２３へ通電が行われ、その結果高圧空気が発生してヒータ２３で暖められ、この暖められた温風が送風管５８又は送風管５９を介して送風されて該当の温風吹出口から吹き出されるようになっている。
【００６２】
このように構成したことにより、実施の形態１とほぼ同じ作用及び効果が得られるとともに、高圧空気発生部２１で発生した高圧空気を、手の乾燥だけでなく、足元暖房と頭髪の乾燥にも利用でき、さらに便利な手洗い乾燥装置１を得ることができる。
【００６３】
また、下部温風吹出口５７による温風吹出し機能を本装置１が設置された空間の使用前に利用すれば、同空間全体の暖房としても活用できる。また、制御回路２４にタイマー機能を持たせ、予め時間をセットすることで切り忘れを防止することも可能である。
【００６４】
また、従来、頭髪を乾燥させる場合には、洗面台に設けたコンセントに頭髪乾燥用ドライヤを接続し、これを片手で持ちながら乾燥させるか、もしくは洗面台上にドライヤを置いたり化粧台のどこかに仮固定する等して使用し、乾燥させる等の方法がとられていたが、何れも不便であった。しかしながら、この実施の形態６によれば、上部温風吹出口５５によりドライヤと同等の役割が果たされるので、装置１全体を機能的に美しくまとめることができ、また、両手を自由に使いながらの頭髪乾燥が可能となる。さらに、上部温風吹出口５５に設けた風向変更板５４によってその送風方向を自由に変えられるので、頭髪ばかりでなく使用者の体への送風も可能であり、体の乾燥にも使用できる。
【００６５】
さらに、ヒータ２３への通電を図示しないスイッチにより停止させることで、温風温度を室温まで下げることができるので、暑い時期には入浴後の体の火照りをさますことにも使用可能である。また、図示していないが、この温風を鏡５１の前面あるいは背面に当てることにより、鏡５１の曇り防止も可能となる。
【００６６】
なお、手乾燥室１１ａ、下部温風吹出口５７及び上部温風吹出口５５への送風は、電気容量や設置スペースに余裕があれば同時送風できることが望ましいが、使用シーンを考慮して以下のように制御すると電気容量、設置スペース的に有利である。
【００６７】
すなわち、同時に複数の送風先への送風は行わず、いずれかの機能（すなわち手乾燥用空気の吹出し機能、下部温風吹出し機能、上部温風吹出し機能）を使用中に、他の機能を使用しようとした場合は、最初に使用していた機能を自動的に停止させ、後から使おうとした機能を動かし、その機能の使用が完了した時点で、その前に使用していたものを再度動かすというものある。具体的には、例えば下部温風吹出し機能を使用中に手乾燥を行ったとすると、この手乾燥の間、下部温風を自動的に送風停止してノズル１２ａ，１２ｂへの送風を行い、その使用が終了した時点で自動的に下部温風を再度送風開始するということになる。
【００６８】
【発明の効果】
この発明は、以上説明したように構成されているので、以下に示すような効果を奏する。
【００６９】
請求項１記載の発明に係る手洗い乾燥装置は、手洗い用水受け部を含む手洗い部と、手洗い用水受け部に連続又は隣接して設けられた手乾燥用水受け部と、手乾燥用水受け部の上部に設けられ、乾燥用空気を噴出するノズルとを含む手乾燥部とを備え、手洗い部と手乾燥部とを一体に形成するとともに、手洗い用水受け部と手乾燥用水受け部を全体として凹状に形成し、その底部を手乾燥用水受け部側の下方に向けて傾斜させ、水受け部の下端部に排水口を設けたので、省スペース化が図れ、また、設置性も向上することができる。また、従来のように手から拭い去った水を一旦タンク等に溜めこれを定期的に処理するといった煩わしさを解消することができて使い勝手が良く、また、手洗い時の水が必ず手乾燥用水受け部を流れるので、乾燥時に発生する手乾燥用水受け部の汚れが洗い流され、衛生面での向上が図れるとともに、清掃の頻度を少なくすることが可能となる。
【００７０】
請求項２記載の発明に係る手洗い乾燥装置は、手乾燥用水受け部の奥行きを、手洗い用水受け部の奥行きより狭く形成したので、乾燥用空気を効率良く手に噴射することができ、乾燥時間の短縮を図ることができる。
【００７１】
請求項３記載の発明に係る手洗い乾燥装置は、手乾燥用水受け部を、その奥行き方向の中心位置が手洗い用水受け部の奥行き方向の中心位置より前方に位置するように配置したので、手乾燥用水受け部の奥へと手を挿入した際に体を屈めなくてもよく、自然な体勢で手乾燥動作を行うことができる。
【００７２】
請求項４記載の発明に係る手洗い乾燥装置は、手乾燥用水受け部を凹状に形成し、前後両壁面を前方に向けて傾斜させたので、手を挿入しやすく手乾燥動作を自然な体勢で行うことができ、使い勝手がよい。
【００７３】
請求項５記載の発明に係る手洗い乾燥装置は、手洗い用水受け部は溢水防止用排水口を有し、乾燥用空気を噴出するノズルを、溢水防止用排出口より上方に配置したのでノズルから水が入ることを防止することができる。
【００７４】
請求項６記載の発明に係る手洗い乾燥装置は、乾燥用空気を発生させる乾燥用空気発生部を備え、乾燥用空気発生部から乾燥用空気をノズルへ送る経路に、柔軟性のある配管を用いたので、ノズルと乾燥用空気発生部のそれぞれは、互いに拘束されることなく自由に配置可能である。
【００７５】
請求項７記載の発明に係る手洗い乾燥装置は、手洗い用水受け部を含む手洗い部と、手洗い用水受け部に連続又は隣接して設けられた手乾燥用水受け部及び手乾燥用水受け部の上部に設けられ、乾燥用空気を噴出するノズルを含む手乾燥部とを備え、手洗い部と手乾燥部とを一体に形成し、手乾燥用水受け部を凹状に形成してその下端部に排水口を設けるとともに、手乾燥用水受け部内に洗浄用水を供給するための給水口を設けたので、まず、手洗い部と手乾燥部とを一体に形成したことによって、省スペース化が図れ、また、設置性も向上することができる。また、手乾燥用水受け部を凹状に形成し、その下端部に排水口を設けたことによって、従来のように手から拭い去った水を一旦タンク等に溜めこれを定期的に処理するといった煩わしさを解消することができ、使い勝手が良い。さらに、手乾燥用水受け部内に洗浄用水を供給するための給水口を設けたことによって、手乾燥用水受け部内を洗浄することができる。
【００７６】
請求項８記載の発明に係る手洗い乾燥装置は、手乾燥用水受け部を手洗い用水受け部の前方に配置したので、横幅方向の設置スペースが不足するような場合にも設置可能となる。
【００７７】
請求項９記載の発明に係る手洗い乾燥装置は、手洗い用水受け部を含む手洗い部と、手洗い用水受け部に連続又は隣接して設けられた手乾燥用水受け部及び手乾燥用水受け部の上部に設けられ、乾燥用空気を噴出するノズルを含む手乾燥部とを備え、手洗い部と手乾燥部とを一体に形成するとともに、手洗い用水受け部と手乾燥用水受け部の開口部の外周に対応した開孔を有する天板を、手洗い用水受け部と手乾燥用水受け部と一体に設けたので、まず、手洗い部と手乾燥部とを一体に形成したことによって、省スペース化が図れ、また、設置性も向上することができる。また、手洗い用水受け部及び手乾燥用水受け部の上部に設けられる天板が、手洗い用水受け部と手乾燥用水受け部の開口部の外周に対応した開孔を有していることによって、手洗い動作から手乾燥動作へ移る際に、手に付着した水滴で天板や床面を濡らることがなく、衛生的な手洗い乾燥装置を得ることができる。さらに、天板を手洗い用水受け部と手乾燥用水受け部と一体に形成したことによって、天板と、手洗い用水受け部及び手乾燥用水受け部とのつなぎ部分に汚れが発生するのを防ぐことができ、また、装置組立時の工数を削減でき、コスト低減が図れる。
【００７８】
請求項１０記載の発明に係る手洗い乾燥装置は、手洗い用水受け部を含む手洗い部と、手洗い用水受け部に連続して設けられた手乾燥用水受け部及び手乾燥用水受け部の上部に設けられ、乾燥用空気を噴出するノズルを含む手乾燥部と、手洗い用水受け部と手乾燥用水受け部の開口部の外周に対応した開孔を有する天板とを備え、手洗い用水受け部と手乾燥用水受け部を全体として凹状に形成し、その底部を手乾燥用水受け部側の下方に向けて傾斜させ、その下端部に排水口を設けたので、省スペース化が図れるとともに設置性を向上でき、また、溜まり水の排水処理を必要とせず、さらに、手に付着した水滴で天板や床面を濡らることがなく衛生的な手洗い乾燥装置を得ることができる。
【００７９】
請求項１１記載の発明に係る手洗い乾燥装置は、手乾燥用水受け部の奥行きを、手洗い用水受け部の奥行きより狭く形成し、その奥行き方向の中心位置を手洗い用水受け部の奥行き方向の中心位置より前方に配置し、そして、前後両壁面を前方に向けて傾斜して形成し、乾燥用空気発生部から乾燥用空気をノズルへ送る径路に、柔軟性のある配管を用いたので、ノズルと乾燥用空気発生部のそれぞれは、互いに拘束されることなく自由に配置可能で、また、自然な体勢で手乾燥を行うことができ、使い勝手が良い手洗い乾燥装置を得ることができる。
【００８０】
請求項１２記載の発明に係る手洗い乾燥装置は、天板を手洗い用水受け部と手乾燥用水受け部と一体に形成したので、天板と、手洗い用水受け部及び手乾燥用水受け部とのつなぎ部分に汚れが発生するのを防ぐことができ、また、装置組立時の工数を削減でき、コスト低減が図れる。
【００８１】
請求項１３記載の発明に係る手洗い乾燥装置は、挿入される手の両面に乾燥用空気を噴射するので、手の乾燥を短時間で行うことができる。
【図面の簡単な説明】
【図１】この発明の実施の形態１の手洗い乾燥装置の平面図である。
【図２】図１のＡ−Ａ断面図である。
【図３】図１のＢ−Ｂ断面図である。
【図４】実施の形態２の手洗い乾燥装置の側面断面図である。
【図５】実施の形態３の手洗い乾燥装置の側面断面図である。
【図６】実施の形態４の手洗い乾燥装置の平面図である。
【図７】図６のＣ−Ｃ断面図である。
【図８】図７のＤ−Ｄ断面図である。
【図９】実施の形態５の手洗い乾燥装置の平面図である。
【図１０】図９のＦ−Ｆ断面図である。
【図１１】実施の形態６の手洗い乾燥装置の平面図である。
【図１２】図１１の正面図である。
【図１３】図１１のＧ−Ｇ断面図である。
【符号の説明】
１  手洗い乾燥装置、２  手洗浄用蛇口、３  天板、４  溢水防止用排水口、５  手洗い用水受け部、６  手洗い部、７  手乾燥部、１１  手乾燥用水受け部、１２ａ，１２ｂ  ノズル、１６，３２  排水口、２１  高圧空気発生部（乾燥用空気発生部）、２６  送風管（配管）、３１  仕切り壁、３３  給水口。
【図１】
0003629636.tif 000002
【図２】
0003629636.tif 000003
【図３】
0003629636.tif 000004
【図４】
0003629636.tif 000005
【図５】
0003629636.tif 000006
【図６】
0003629636.tif 000007
【図７】
0003629636.tif 000008
【図８】
0003629636.tif 000009
【図９】
0003629636.tif 000010
【図１０】
0003629636.tif 000011
【図１１】
0003629636.tif 000012
【図１２】
0003629636.tif 000013
【図１３】
0003629636.tif 000014